(57)【要約】  通信ネットワークアクセスデバイスは、各々が１つの通信デバイスからのインタフェースを受信できる複数のポートを含み、上記デバイスは関連するプロトコルに関して動作しかつデータを上記プロトコルに関連づけられるフォーマットで送信するように設定されている。本デバイスは、ＵＳＢポートと、データをネットワークのアクセスデバイスが接続される通信デバイス又は通信ネットワークに適するフォーマットに変換するためのトランスレータとを含み、上記データの変換は動的に構成可能である。
2009537888.tif 000002
【特許請求の範囲】
【請求項１】
データを送受信するための通信ネットワークアクセスデバイスにおいて、
各々が通信デバイスからのデータを送受信できる複数のポートを備え、上記通信デバイスは関連プロトコルに関して動作しかつ上記プロトコルに関連づけられるフォーマットでデータを送受信するように設定され、
別の通信デバイスへ、又は１つの通信ネットワークへ接続され、よってデータを、上記ネットワークアクセスデバイスから上記他の通信デバイスへ、又は上記通信ネットワークへ送信及び受信することができる複数のポートと、
ＵＳＢポートとを備えた通信ネットワークアクセスデバイス。
【請求項２】
データを、上記ネットワークアクセスデバイスが接続される他の通信デバイス又は通信ネットワークに適するフォーマットに変換するためのトランスレータをさらに含む請求項１記載の通信ネットワークアクセスデバイス。
【請求項３】
上記データの変換は動的に構成可能である請求項１又は２記載の通信ネットワークアクセスデバイス。
【請求項４】
上記ネットワークアクセスデバイス上のポートは、ユーザ側からネットワーク側へ送信されるデータ及び上記ネットワーク側から上記ユーザ側へ送信されるデータを受け入れることができる先行する任意の請求項記載の通信ネットワークアクセスデバイス。
【請求項５】
上記デバイスは、ＬＡＮ、ＶＬＡＮ、ＳＨＤＳＬ、ＲＳ２３２／Ｅ１及びシリアルＶ１１／Ｖ３５のポートのうちの少なくとも幾つかを含む先行する任意の請求項記載の通信ネットワークアクセスデバイス。
【請求項６】
上記デバイスは、ＲＳ２３２シリアルポート上に光アイソレーションを含む請求項４記載の通信ネットワークアクセスデバイス。
【請求項７】
上記デバイスは、様々なポートに対応するモジュールも含む請求項４記載の通信ネットワークアクセスデバイス。
【請求項８】
上記デバイスは、上記デバイスを制御するプロセッサを含む先行する任意の請求項記載の通信ネットワークアクセスデバイス。
【請求項９】
上記デバイスは、上記デバイスへ電力を供給するオンボード電力ＤＣ−ＤＣ変換器を含む先行する任意の請求項記載の通信ネットワークアクセスデバイス。
【請求項１０】
上記デバイスは、上記デバイスを動作させるソフトウェアを格納するメモリモジュールを含む先行する任意の請求項記載の通信ネットワークアクセスデバイス。
【請求項１１】
上記デバイスは、上記デバイスがどのプロトコルへ接続されているかを示す複数のステータスインジケータを含む先行する任意の請求項記載の通信ネットワークアクセスデバイス。
【発明の詳細な説明】
【技術分野】
【０００１】
本発明は、通信ネットワークアクセスデバイスに関する。
【背景技術】
【０００２】
ネットワークアクセスデバイスは、例えばユーザ側の通信デバイスを中間の通信トランスポート媒体を介して最終的に例えばネットワーク側の他の通信デバイスへ接続するために使用される。各通信デバイスは、各通信デバイスを機能できるようにするその固有のプロトコルを有し、よって、現在、アクセスデバイスは、通信デバイス及び中間の通信トランスポート媒体に合わせて特別に構成される必要がある。
【発明の概要】
【発明が解決しようとする課題】
【０００３】
しかしながら、通信デバイス及び／又は中間の通信トランスポート媒体の任意の変更は、別々のアクセスデバイスが構成されてインストールされることを要求する。
【０００４】
さらに、デバイス内のポートはデバイスのハードウェア及びソフトウェアへ接続されていて、変更は容易でなく、よってフレキシブルさは満たされない。
【０００５】
従って、本発明の目的は、典型的なアクセスデバイスにおける上述の欠点に対処するネットワークアクセスデバイスを提供することにある。
【課題を解決するための手段】
【０００６】
広義には、本発明において提供されている通信ネットワークアクセスデバイスは、
各々が通信デバイスからのデータを送受信できる複数のポートを備え、上記通信デバイスは関連プロトコルに関して動作しかつ上記プロトコルに関連づけられるフォーマットでデータを送受信するように設定され、
別の通信デバイスへ、又は１つの通信ネットワークへ接続され、よってデータを、上記ネットワークアクセスデバイスから上記他の通信デバイスへ、又は上記通信ネットワークへ送信及び受信することができる複数のポートと、
ＵＳＢポートとを備える。
【０００７】
本発明のあるバージョンでは、本デバイスは、データを、ネットワークアクセスデバイスが接続される他の通信デバイス又は通信ネットワークに適するフォーマットに変換するためのトランスレータを含む。
【０００８】
ネットワークアクセスデバイス上のポートは、ユーザ側からネットワーク側へ送信されるデータ及びネットワーク側からユーザ側へ送信されるデータを受け入れることができる。
【０００９】
本デバイスは、ＬＡＮ、ＶＬＡＮ、ＳＨＤＳＬ、ＲＳ２３２／Ｅ１及びシリアルＶ１１／Ｖ３５のポートのうちの少なくとも幾つかを含んでもよい。
【００１０】
本デバイスは、ＲＳ２３２シリアルポート上に光アイソレーションを含んでもよい。
【００１１】
また本デバイスは、様々なポートに対応するモジュールも含んでもよい。
【００１２】
さらに、本デバイスは、本デバイスを制御するプロセッサを含んでもよい。
【００１３】
さらに、本デバイスは、本デバイスへ電力を供給するオンボード電力ＤＣ−ＤＣ変換器を含んでもよい。
【００１４】
また、本デバイスを動作させるソフトウェアを格納するメモリモジュールも含まれてもよい。
【００１５】
また、本デバイスがどのプロトコルへ接続されているかを示す複数のステータスインジケータも使用されてもよい。
【図面の簡単な説明】
【００１６】
【図１】本発明に係る通信ネットワークアクセスデバイスを使用する通信ネットワークを示す略ブロック図である。
【図２】本発明に係る通信ネットワークアクセスデバイスを示す正面図である。
【図３】通信ネットワークアクセスデバイスを示す背面図である。
【図４】通信ネットワークアクセスデバイスを示す機能ブロック図である。
【発明を実施するための形態】
【００１７】
図１を参照すると、通信ネットワーク１０は、例えばユーザ側の通信デバイス１６を有効化して例えばネットワーク側の別の通信デバイス１８と通信するために本発明に係る２つのネットワークアクセスデバイス１２、１４を使用してもよい。デバイス１６、１８は中間の通信トランスポートネットワーク又は媒体２０を介して接続され、上記デバイス１６、１８及び上記中間の通信トランスポートネットワーク又は媒体２０は各々、データが特定のフォーマットであることを要求する固有の関連プロトコルを有する。
【００１８】
広義には、各ネットワークアクセスデバイス１２、１４は、各々が通信デバイス１６、１８からデータを受信できる複数のポートを備える。
【００１９】
各ネットワークアクセスデバイス１２、１４はさらに、データを、ネットワークアクセスデバイス１２、１４が接続される通信デバイス１６、１８又は通信ネットワーク２０に適するフォーマットに変換するためのトランスレータを備える。従って、ユーザ側では、ネットワークアクセスデバイス１２内のトランスレータが、ある特定のフォーマットであるユーザからのデータを、通信トランスポートネットワーク又は媒体２０に関連づけられるプロトコルにより理解されることが可能なフォーマットに変換する。同様に、ネットワーク側では、ネットワークアクセスデバイス１４内のトランスレータが、ある特定のフォーマットである通信トランスポートネットワーク又は媒体２０からのデータを、ネットワーク側ユーザに関連づけられるプロトコルにより理解されることが可能なフォーマットに変換する。
【００２０】
注目すべきことに、ユーザ側及びネットワーク側双方における１つのフォーマットから別のフォーマットへのデータ変換は、オンデマンドで動的に構成可能である。典型的には、これは、関連する通信ネットワークのオペレータに接触することによって行われるものであり、次にオペレータは、ネットワークアクセスデバイス１２、１４に必要な調整を遠隔的に行うことができる。
【００２１】
具体的には、ネットワークアクセスデバイス１２、１４上のポート／インタフェースは、北行きデータ（即ち、ユーザ側からネットワーク側へのデータ）及び南行きデータ（即ち、ネットワーク側からユーザ側へのデータ）の双方を受け入れること、かつ受け入れるように調整されることが可能である。
【００２２】
次に、図２及び３を参照すると、各ネットワークアクセスデバイス１２、１４は、各々が通信デバイスからインタフェースを受信できる複数のポートを備える。ある実施形態例では、対応するプロトコルを使用するデバイスからインタフェースを受信するように下記のポートが設けられる。
【００２３】
矢印２２により指示されたＬＡＮ。
矢印２４により指示されたＶＬＡＮ。
矢印２６により指示されたＳＨＤＳＬ。
矢印２８により指示されたＲＳ２３２／Ｅ１。
矢印３０により指示されたシリアルＶ１１／Ｖ３５。
【００２４】
また、ＵＳＢポート３２も設けられる。これは、従来、無数の他のデバイスがネットワークアクセスデバイス１２、１４へ接続されて先に述べたように通信できるようにする。
【００２５】
このタイプのポートは、統合されたアクセスデバイス上には見受けられない。
【００２６】
ＵＳＢ３２ポートの目的は、デバイスの能力を、より多い電気インタフェース（例えば、ＡＤＳＬモデム、ダイアルアップモデムほか）を受け入れるように拡張することにある。またこれは、様々なコンピュータ周辺機器（例えば、プリンタ、画面、キーボード又はマウスほか）をこれに接続できることにより、デバイスの機能上のフレキシブルさも拡張する。さらに、デバイス上でホストされるサービスに関する統計を目的として無限の仮想格納能力を有するために、ＵＳＢポート３２は、外部のメモリ及び格納デバイスへのインタフェースを見込んでいる。また、ＵＳＢポートにより、サービスプロバイダにより提供されるコンテンツは、デバイスへ接続される外部格納デバイス上へ遠隔的にダウンロードされかつ格納されることも可能である。
【００２７】
ＵＳＢポートは、マスタモード及びスレーブモードの双方において動作するように設計され、よって、本ユニットを電気通信／ネットワーキング産業において統合しかつ配備する可能性の数が増大する。
【００２８】
デバイス１２、１４のフロントパネルは、図２に示すように、例えばデバイス１２、１４がどのプロトコルへ接続されているかを示す複数のステータスインジケータを備える。従って、シリアルＶ１１／Ｖ３５インタフェースを示すステータスインジケータ３４、Ｅ１を示すステータスインジケータ３６、ＳＨＤＳＬを示すステータスインジケータ３８、ＶＬＡＮを示すステータスインジケータ４０及びＬＡＮを示すステータスインジケータ４２が存在する。
【００２９】
効果的には、ＲＳ２３２シリアルポート上に光アイソレーションが存在する。
【００３０】
次に、図４を参照すると、各ネットワークアクセスデバイス１２、１４は、様々なインタフェース／ポートに対応するモジュールを備える。従って、各ネットワークアクセスデバイス１２、１４は、ＬＡＮ及びＶＬＡＮインタフェース用の５ポート１０／１００ベースＴ  ＶＬＡＮモジュール４４と、Ｅ１インタフェース用のＥ１インタフェースモジュール４６と、ＲＳ２３２インタフェース用のＲＳ２３２インタフェースモジュール４８と、ＵＳＢインタフェース用のＵＳＢインタフェースモジュール５０と、ＳＨＤＳＬインタフェース用のデュアルＳＨＤＳＬインタフェースモジュール５２と、Ｖ１１／Ｖ３５シリアルインタフェース用のＶ１１／Ｖ３５インタフェースモジュール５４とを備える。
【００３１】
各ネットワークアクセスデバイス１２、１４は、デバイス１２、１４を制御するＣＰＵ５６と、ＣＰＵ周辺回路５８とを備える。さらに、デバイス１２、１４へ電力を供給するオンボード電力ＤＣ−ＤＣ変換器６０も設けられ、変換器６０は、典型的には１２Ｖ電源から電力を供給される。ＦＬＡＳＨメモリモジュール６２は、デバイス１２、１４をより永久的に動作させるために必要な命令及びソフトウェアを格納するが、ＳＤＲＡＭ６４は一時的な変数を格納するために使用される。ＦＰＧＡ６６は、デバイス１２、１４の様々なコンポーネント間の信号の相互接続を制御するために設けられる。
【００３２】
注目すべきことに、上述のトランスレート機能は、ＦＬＡＳＨメモリ６２及び／又はＦＰＧＡ６６によって実行される。従って、これらのコンポーネントは、トラフィックをデバイスへ接続される任意の電気的インタフェースから別のデバイスへ接続される他の電気的インタフェースのうちの任意の１つへルーティングできるようにする。具体的には、かつ先に述べたように、インタフェースは何れも北（ノース）行き、又は南（サウス）行きのインタフェースとして構成されることが可能であり、よって、莫大な多用性がもたらされる。
【００３３】
使用に当たって、ＣＡＴ５（カテゴリ５ケーブル）、ＰＯＴＳ銅線対及びＶ１１／Ｖ３５ケーブルは、高速シリアルインタフェースである関連のイーサネット（登録商標）、Ｅ１、ＳＨＤＳＬへ繋がれ、これらがインタフェースする関連機器で終端することが可能である。次に、オンボードウェブサーバは、管理ＶＰ／ＶＣを介するＳＨＤＳＬインタフェースを介して、又はそれによって上記ウェブサーバを構成できるイーサネット（登録商標）インタフェースを介してアクセスされることが可能である。デバイス１２、１４は、最初にオンにされる時はその工場出荷時設定で起動し、その後は、その最新のコンフィギュレーションセットアップで起動する。注目すべきことに、ユニットのファームウェアは完全に遠隔アップグレードが可能である。
【００３４】
本デバイスは、インストール及び保全の容易さを含む多くの優位点を示す。ＵＳＢポートの追加により、本ユニットはフレキシブルに拡張できるようになる。具体的には、トラフィックを任意の電気的インタフェースから他の電気的インタフェースのうちの任意の１つへルーティングできることもまた、本デバイスをその等級において極めてフレキシブルかつ強力なものにする。
【図１】
2009537888.tif 000003
【図２】
2009537888.tif 000004
【図３】
2009537888.tif 000005
【図４】
2009537888.tif 000006
【国際調査報告】
2009537888.tif 000007
2009537888.tif 000008
2009537888.tif 000009
2009537888.tif 000010
2009537888.tif 000011